(57)【特許請求の範囲】
【請求項１】
溶解槽内で透析用粉末薬剤を溶解して所定濃度の透析用原液を生成する溶解装置の前記溶解槽に消毒液を供給する溶解装置の消毒液供給装置において、
前記消毒液が投入されるとともに、該消毒液を希釈するための水を供給する消毒用給水ラインの終端を有する第１室と、
該第１室で希釈された消毒液を前記溶解槽内へ供給する消毒液供給ラインと、前記消毒液を廃棄のため排出する消毒液排出ラインとに連結された第２室と、
前記消毒液排出ラインに配設された常開式のバルブと、
前記第１室と第２室とを仕切り、前記第１室内の消毒液を前記第２室内へオーバーフローさせる隔壁と、
を備えたことを特徴とする溶解装置の消毒液供給装置。
【請求項２】
前記溶解槽は、併設された第１溶解槽及び第２溶解槽から成り、これら第１溶解槽又は第２溶解槽内の透析用原液を透析液供給装置に供給する供給ラインを有することを特徴とする請求項１記載の溶解装置の消毒液供給装置。
【請求項３】
前記消毒用給水ラインは、前記第１室の上部開口から底面近傍の終端まで垂下して配設され、且つ、始端側が当該終端より下方まで延設して成るとともに、前記消毒用給水ラインにおける該消毒用給水ラインの終端より下方から枝分かれした排液ラインと接続され、該排液ラインが前記消毒液排出ラインに連結されたことを特徴とする請求項１又は請求項２記載の溶解装置の消毒液供給装置。
【請求項４】
前記第１室から第２室に流れ込んだ消毒液の液位を検知する液位検知手段を備えたことを特徴とする請求項１〜請求項３のいずれか１つに記載の溶解装置の消毒液供給装置。
【発明の詳細な説明】
【０００１】
【発明の属する技術分野】
本発明は、水に溶解すると血液透析に使用する透析用原液となる透析用粉末薬剤を所定濃度に溶解するための溶解槽に消毒液を供給する溶解装置の消毒液供給装置に関する。
【０００２】
【従来の技術】
病院等で腎不全患者の治療に使用される透析液は、一般に重炭酸塩系と酢酸系とに区分され、このうち重炭酸塩系の透析液は、重炭酸ナトリウムを含まないもの（以下、Ａ剤という。）と重炭酸ナトリウム（以下、Ｂ剤という。）の２種類の薬剤に水を混合して調整されるものである。
【０００３】
近年、運搬性向上の観点から、これらＡ剤及びＢ剤を粉末化したもの（以下、透析用粉末薬剤という。）を透析の前に溶解する試みがなされているが、溶解後の溶液（特にＢ剤）については経時的に濃度の低下が生じやすく、透析後に翌日の分を作り置きしておくことが難しかった。
【０００４】
このため、透析毎に溶解作業が必要となり、従来から溶解のための溶解装置が各種提案されている。例えば特開平１１−３３１０９号公報には、２つの溶解槽を併設し、各溶解槽内で攪拌生成した透析用原液を人工透析液供給装置に送液する溶解装置が開示されている。
かかる溶解装置においては、一方の溶解槽からの透析用原液の供給を行っている間に他方の溶解槽を洗浄することができるため、溶解槽の洗浄を行うために透析液供給装置への透析用原液の供給を停止する必要がなく、効率的な装置の運用が可能であった。
【０００５】
【発明が解決しようとする課題】
しかしながら、この溶解装置にあっては、消毒槽を消毒する際、消毒液を溶解槽内に直に投入する必要があり、所謂フェールセーフ設計が施されていないという問題があった。ここでフェールセーフ設計とは、一部に故障や誤動作が発生しても安全側に働くような機構を導入して、全体の事故、災害に至らないようにし、信頼性、安全性が保持されるよう配慮した設計のことをいう。
【０００６】
本発明は、このような事情に鑑みてなされたもので、溶解槽への消毒液の供給機構にフェールセーフ設計を施すことにより、信頼性及び安全性を向上させることができる溶解装置の消毒液供給装置を提供することを目的とする。
【０００７】
【課題を解決するための手段】
請求項１記載の発明は、溶解槽内で透析用粉末薬剤を溶解して所定濃度の透析用原液を生成する溶解装置の前記溶解槽に消毒液を供給する溶解装置の消毒液供給装置において、前記消毒液が投入されるとともに、該消毒液を希釈するための水を供給する消毒用給水ラインの終端を有する第１室と、該第１室で希釈された消毒液を前記溶解槽内へ供給する消毒液供給ラインと、前記消毒液を廃棄のため排出する消毒液排出ラインとに連結された第２室と、前記消毒液排出ラインに配設された常開式のバルブと、前記第１室と第２室とを仕切り、前記第１室内の消毒液を前記第２室内へオーバーフローさせる隔壁と、を備えたことを特徴とする。
【０００８】
かかる構成によれば、溶解槽を洗浄する際には、常開式のバルブを操作して閉じた状態とし、第１室に消毒液の投入を行うとともに、消毒用給水ラインからの水で希釈しつつ隔壁上端をオーバーフローさせる。オーバーフローした消毒液は、第２室へ流れ込んで消毒液供給ラインから溶解槽内に供給される。一方、溶解槽を消毒しない時は、消毒液排出ラインを開いた状態のままにしておくことで、誤って第１室に消毒液が投入されても、第２室に流れ込んだ消毒液が消毒液排出ラインから排出される。
【０００９】
請求項２記載の発明は、前記溶解槽は、併設された第１溶解槽及び第２溶解槽から成り、これら第１溶解槽又は第２溶解槽内の透析用原液を透析液供給装置に供給する供給ラインを有することを特徴とする。
【００１０】
請求項３記載の発明は、前記消毒用給水ラインは、前記第１室の上部開口から底面近傍の終端まで垂下して配設され、且つ、始端側が当該終端より下方まで延設して成るとともに、前記消毒用給水ラインにおける該消毒用給水ラインの終端より下方から枝分かれした排液ラインと接続され、該排液ラインが前記消毒液排出ラインに連結されたことを特徴とする。
【００１１】
かかる構成によれば、消毒用給水ラインからの給水が終了すると、サイホンの原理により、第１室内に残った消毒液が消毒用給水ライン終端から排液ライン、消毒液排出ラインを経て排出される。
請求項４記載の発明は、前記第１室から第２室に流れ込んだ消毒液の液位を検知する液位検知手段を備えたことを特徴とする。
【００１２】
【発明の実施の形態】
以下、本発明に係る実施形態について図面を参照しながら具体的に説明する。まず、第１の実施形態に係る溶解装置は、透析用粉末薬剤を溶解し透析原液を得るものであって、図１に示すように、溶解槽としての第２溶解槽１及び第１溶解槽２と、液面検出手段３と、シャワー４、５と、連結ライン６と、消毒液供給装置７と、濃度セル８と、演算手段９と、給水手段１０と、チャンバ１２と、複数のバルブＶ１〜Ｖ８及びこれらバルブを結ぶラインと、フィルタＦ１と、ポンプＰとから主に構成される。
【００１３】
第２溶解槽１は、透析用原液を収容するタンクであり、収容された透析用原液の液位を検出する液面検出手段３を上部に有する。この液面検出手段３は、給水ラインによって溶解生成した前記透析用原液の液位の連続的な検出が可能なものである。
【００１４】
液面検出手段３により液位を検出すると、その検出値は演算手段９に電気信号として送信される。該演算手段９に信号が送られると、透析用原液の液位から透析用原液の容積に換算する演算が行われ、第２溶解槽１内に収容された透析用原液の容積が認識される。
【００１５】
第２溶解槽１内壁上部には、第２溶解槽１内部を洗浄するためのシャワー４が取り付けられており、給水手段１０とラインＬ１〜Ｌ５を介して連結されている。このうち、ラインＬ２にはバルブＶ１、ラインＬ３にはポンプＰが介在しており、ポンプＰを駆動しつつバルブＶ１を開けるとシャワー４から第２溶解槽１内に散水可能とされている。
【００１６】
第２溶解槽１底面隅部の開口１ａからはラインＬ６が延設されるとともに、第２溶解槽１底面中央部の開口１ｂからはラインＬ８が延設されており、ラインＬ６はＬ３と、ラインＬ８はＬ１２とＬ１１との交点と、それぞれ接続されている。
【００１７】
更に、開口１ａはフィルタＦ１で覆われており、ポンプＰを駆動させると、フィルタＦ１で濾過された透析用原液がラインＬ６、Ｌ３、Ｌ４、Ｌ１２、及びＬ８を通って開口１ｂから第２溶解槽１に戻される。このような循環により、第２溶解槽１内の透析用原液を攪拌することができ、均一な濃度の透析用原液を得ることができる。
【００１８】
第２溶解槽１の側壁の開口１ｃからはラインＬ１０が延設され、このラインＬ１０はライン１１を介してラインＬ１２とラインＬ８との交点に接続されている。ラインＬ１１には濃度セル８が配設されており、該ラインＬ１１を通る透析用原液の濃度を測定することが可能とされている。
【００１９】
第２溶解槽１上部には消毒液供給装置７が配設されており、この消毒液供給装置７から供給された消毒液により第２溶解槽１又はライン内を消毒することができる。消毒液供給装置７は、図２に示すように、第１室１３と、第２室１４と、隔壁１５とから主に構成され、第２室１４の上部には遮蔽板１６が配設されるとともに内部に液位検知手段としてのフロートスイッチ１７が配設されている。
【００２０】
第１室１３は、上部の開口から消毒液が投入されるとともに、該消毒液を希釈するための水を供給する消毒用給水ラインＬ１９の終端ｅを内部に有している。また、消毒用給水ラインＬ１９は、第１室１３の上部開口１３ａから底面近傍まで垂下して配設されるとともに、消毒用給水ラインＬ１９における消毒用給水ラインＬ１９の終端ｅより下方から枝分かれした排液ラインＬ２１と接続されている。尚、この排液ラインＬ２１は、図１に示すように、後述する消毒液排出ラインＬ２０に接続されている。
【００２１】
第２室１４は、第１室１３で希釈された消毒液を第２溶解槽１内へ供給する消毒液供給ラインＬ２２と、消毒液を廃棄のため排出する消毒液排出ラインＬ２０とに連結されている。また、第２室１４の上部開口１４ａは遮蔽板１６により遮蔽されており、第２室１４側に消毒液等が投入されないよう構成されるとともに、第２室１４内に配設されたフロートスイッチ１７により、第２室１４内に消毒液が溜まっているか否かを常時検知している。
【００２２】
隔壁１５は、第１室１３と第２室１４とを仕切り、消毒用給水ラインＬ１９からの給水により満たされた第１室１３内の消毒液を第２室１４側にオーバーフローさせるものである。この隔壁１５は、第１室１３及び第２室１４と一体成形されたものであってもよく、別体を接着したものであってもよい。
【００２３】
また、消毒用給水ラインＬ１９における排液ラインＬ２１との接続部分よりも下方には、常閉式の電磁バルブＮＣＶが配設されており、この電磁バルブＮＣＶに電圧を印加して開けることにより第１室１３内への給水が行われるよう構成されている。更に、消毒液排出ラインＬ２０には、常開式の電磁バルブＮＯＶが配設されており、この電磁バルブＮＯＶに電圧を印加して閉めることにより第２室１４内に消毒液が溜まるよう構成されている。
【００２４】
よって、故障や停電等で各バルブに電圧が印加されない状態となっても、電磁バルブＮＯＶは開いた状態なので第２室１４内には消毒液が溜まらず、誤って消毒液が第２溶解槽１内に流入するのを防止でき、フェールセーフ機能が確立できる。
【００２５】
第１溶解槽２は、第２溶解槽１に比べ相対的に容量が小さなタンクであり、第２溶解槽１に併設されるとともに所定量の透析用粉末薬剤を収容可能とされている。
第１溶解槽１底面中央部の開口２ａからはラインＬ１３が延設されており、このラインＬ１３はラインＬ１４、Ｌ４、Ｌ３、Ｌ２、及びＬ１を介して給水手段１０と接続されている。また、ラインＬ１４にはバルブＶ２が配設されており、このバルブＶ２及びバルブＶ１を開けるとともにポンプＰを駆動させると、第１溶解槽２内に給水可能とされている。上記ラインＬ１、Ｌ２、Ｌ３、Ｌ４、Ｌ１４、及びＬ１３が成すラインは、第１溶解槽２に透析用粉体薬剤を溶解するための水を供給するための給水ラインを成す。
【００２６】
第１溶解槽２の上部には、シャワー４と同様のシャワー５が形成されており、ラインＬ１６を介して給水手段１０と接続されている。このラインＬ１６にはバルブＶ７が配設されており、第１溶解槽２内の洗浄の際には開けられ、それ以外の時は閉められた状態とされる。
【００２７】
また、ラインＬ１３とＬ１４との交点から延び、チャンバ１２に接続されるライン１５と、ラインＬ３とＬ４との交点から延び、チャンバ１２に接続されるラインＬ１６が形成されており、該チャンバ１２からは患者に透析液を供給する透析液供給装置１１と接続されるラインＬ１７と、第２溶解槽１側壁に形成された開口１ｄと接続されるラインＬ１８とが延設されている。
【００２８】
そして、ラインＬ１３、Ｌ１５、及びＬ１７、又はラインＬ６、Ｌ３、Ｌ１６、及びＬ１７は、第２溶解槽１又は第１溶解槽２内の透析用原液を透析供給装置１１に送液する供給ラインを成す。
【００２９】
一方、ラインＬ１１とＬ８との交点とラインＬ４とＬ５との交点を結ぶラインＬ１２を形成するとともに、ラインＬ１３とＬ１５との交点から排水口まで延びたラインＬ９を形成し、該ラインＬ１２に配設されたバルブＶ６とバルブＶ２及びＶ５とを開けることにより第２溶解槽１内の透析用原液等を排水できるよう構成されている。これにより、ラインＬ１３及びＬ９、又はラインＬ８、Ｌ１２、Ｌ１４、及びＬ９は、第２溶解槽１又は第１溶解槽２内の液体を排出する排水ラインを成す。尚、これとは別の排水ラインとしてラインＬ７が形成されている。
【００３０】
連結ライン６は、第１溶解槽２内で所定液位を超えた透析用原液を第２溶解槽１に送液するものであり、第２溶解槽１の上部側壁に形成された開口１ｅと、第１溶解槽２の上部側壁に形成された開口２ｂとを連結している。即ち、第１溶解槽２内への給水により上昇する透析用原液の液面が開口２ｂに達した時点でオーバーフローし、連結ライン６を介して第２溶解槽１内に流れ込むよう構成されている。ここで、開口２ｂの形成位置は確定されているため、所定液位とは開口２ｂが形成された位置となり、所定液位から換算される容積は既知となっている。
【００３１】
演算手段は、第１溶解槽２の所定液位から換算される容積と、液面検出手段３により検出された液位とから、溶解された透析用原液の総容積を演算するものであり、例えばマイコン（マイクロコンピュータ）等から成る。原則的には、第１溶解槽２内の透析用原液の容積は既知であるので、これに第２溶解槽１内の透析用原液の容積を加算したものが透析用原液の総容積となるのであるが、ラインに残留した透析用原液の容積も考慮するため、前記加算値に所定値を更に加算したものを透析用原の総容積とするのが好ましい。
【００３２】
次に、上記構成の溶解装置に係る作用について説明する。
１日の透析終了後、次の日に必要とされる透析用粉末薬剤を予め第１溶解槽２内に投入しておく（透析用粉末薬剤投入工程）。次の日の透析が開始される前に、前日投入した第１溶解槽２内の透析用粉末薬剤を溶解するため、バルブＶ１及びＶ２を開いて給水ラインを開放するとともに、ポンプＰを駆動させる。すると、ポンプＰの作用により給水手段１０から第１溶解槽２内に水が供給される。尚、特に言及しない限り各バルブは開けられず閉じた状態のままである（ただし、常開式の電磁バルブＮＯＶに関しては、特に言及しない限り開いた状態である。）
【００３３】
第１溶解槽２内では、給水により透析用粉末薬剤が攪拌されて透析用原液が作製され、該透析用原液の液面が上昇して開口２ｂに達した時点で透析用原液がオーバーフローし、連結ライン６を介して第２溶解槽１内に流れ込む。
第２溶解槽１内に流れ込んだ透析用原液は、ラインＬ６を通って給水ラインに流れ込み、再び第１溶解槽２内へ給水手段からの水とともに供給される。こうして、透析用原液は、第２溶解槽１と第１溶解槽２との間で循環し、次第に均一な濃度の透析用原液となっていく。
【００３４】
この時、バルブＶ６を開ければ、ポンプＰの作用により、循環される透析用原液の一部がラインＬ８から第２溶解槽１に再び戻ることとなり攪拌される。このように、第２溶解槽１及び第１溶解槽２に戻る透析用原液はそれぞれのタンクの下面中央から上方に向かって吹き上げられるため、溶解槽底面に溜まりがちな濃度の濃い透析用原液が攪拌され、溶解槽内における透析用原液の濃度がより均一化される。
【００３５】
尚、ラインＬ１２を通過する透析用原液の一部は、ラインＬ１１に分流し、ラインＬ１０を通って第２溶解槽１の側壁から第２溶解槽１に戻される。透析用原液がこのラインを通過する間に濃度セル８にて濃度測定が行われ、濃度が異常であれば、装置の停止又は図示しない操作盤にて作業者へ警告表示を行う。しかし、本実施形態においては、透析用原液の濃度測定は作製された透析用原液の容積を検出すれば足りるため、この濃度セル８による濃度測定は適宜行うものとし、濃度測定を行わないものとしてもよい。
【００３６】
第２溶解槽１内に所定量の透析用原液が溜まった時点でバルブＶ１を閉じ、給水ラインを遮断すると共にポンプＰの駆動を停止し、透析用原液の連結ライン６から第２溶解槽１への流れ込みが停止した時点で、液面検出手段３による第２溶解槽１内における透析用原液の液面検出を行う。
【００３７】
この液面の検出値から演算手段９にて第２溶解槽１及び第１溶解槽２内の透析用原液全体の容積を演算し、投入した透析用粉末薬剤に対し透析用原液全体の容積が所定濃度となる容積になるまで再びバルブＶ１を開き、しばらく循環、攪拌作業を行って透析用原液準備工程が完了する。このように、給水を２回に分けた理由は、透析用粉末薬剤が水に溶解すると全体の容積が変化することにある。即ち、透析用粉末薬剤が水に溶けて容積が減少するため、透析用原液の容積は透析用粉末薬剤と給水量とを加えた容積より減少するのである。
【００３８】
また、その容積の減少量は溶解する透析用粉末薬剤によって異なるので、予め容積の減少量を見込んだ給水を行うのは困難となっている。よって、最初に目標の８割〜９割程度給水し、透析用粉末薬剤が完全に溶解した後に液面を検出して目標容積とするための給水量を認識し、２回目の給水で目標容積とするのである。このような２回に分けた給水は、後述する既定追加溶解工程及び任意追加溶解工程においても同様に行われる。
【００３９】
上記透析用原液準備工程では設定された薬剤数の溶解に達していない場合（即ち、必要量に足りなかった場合）、以下に示す追加溶解工程（以下、この場合の追加溶解工程を特に既定追加溶解工程という。）を行う。
バルブＶ１、Ｖ６、及びＶ４を開けて第２溶解槽１内に給水した後、追加分の透析用粉末薬剤を第２溶解槽１内に投入し、ポンプＰを駆動させる。追加分の透析用粉末薬剤の投入時期については、第２溶解槽１内への給水中であればよく、図示しない操作盤から操作者に投入の指示を表示させるようにするのが好ましい。
【００４０】
これにより、給水手段１０からの水は、ラインＬ１、Ｌ２、Ｌ３、Ｌ４、Ｌ１２、及びＬ８を通って第２溶解槽１内に底面から供給され、そのうちの一部はラインＬ１２から分流して、ラインＬ１１及びＬ１０を通って第２溶解槽１内に上部から供給される。
【００４１】
一方、バルブＶ４が開けられているので、第２溶解槽１への既定追加溶解工程中、第１溶解槽２からラインＬ１３、Ｌ１５、及びＬ１７を介して透析液供給装置１１に透析用原液が供給され始めている。
そして、再び液面検出手段３により第２溶解槽１内の透析用原液の容積を検出するとともに、この検出値から直前に検出した第２溶解槽１内の透析用原液を減算した値が、追加投入された透析用粉末薬剤に対応した容積となった時点で既定追加溶解工程を終了する。
【００４２】
透析を行うには、バルブＶ３を開けて供給ラインを開放することにより第２溶解槽１内の透析用原液を透析液供給装置１１に送液する（透析用原液供給工程）。尚、バルブＶ３を開けて供給ラインを開放し、第１溶解槽２内の透析用原液を透析液供給装置１１に送液してもよい。即ち、第２溶解槽１内の透析用原液を先に使用するか、第１溶解槽１内の透析用原液を先に使用するかは適宜選択可能とされている。
【００４３】
透析用原液供給工程中に透析用原液を追加作製する必要が生じた場合（即ち、必要量に足りなかった場合）、以下の追加溶解工程（以下、この場合の追加溶解工程を特に任意追加溶解工程という。）を行う。尚、任意追加溶解工程に伴う時間に必要とされる透析用原液が第１溶解槽２内に残っていない場合は、第２溶解槽１内の透析用原液を第１溶解槽２に予め移しておく必要がある。
【００４４】
まず、液面検出手段３により第２溶解槽１内に残っている透析用原液の液位を検出する。次に、バルブＶ１、Ｖ６、及びＶ４を開けて第２溶解槽１内に給水した後、追加分の透析用粉末薬剤を第２溶解槽１内に投入し、ポンプＰを駆動させる。追加分の透析用粉末薬剤の投入時期については、第２溶解槽１内への給水中であればよく、図示しない操作盤から操作者に投入の指示を表示させるようにするのが好ましい。
【００４５】
これにより、給水手段１０からの水は、ラインＬ１、Ｌ２、Ｌ３、Ｌ４、Ｌ１２、及びＬ８を通って第２溶解槽１内に底面から供給され、そのうちの一部はラインＬ１２から分流して、ラインＬ１１及びＬ１０を通って第２溶解槽１内に上部から供給される。
【００４６】
一方、バルブＶ４が開けられているので、第２溶解槽１への任意追加溶解工程中、第１溶解槽２からラインＬ１３、Ｌ１５、及びＬ１７を介して透析液供給装置１１に透析用原液が供給され続けている。
そして、再び液面検出手段３により第２溶解槽１内の透析用原液の容積を検出するとともに、この検出値から直前に検出した第２溶解槽１に残っていた透析用原液を減算した値が、追加投入された透析用粉末薬剤に対応した容積となった時点で任意追加溶解工程を終了する。
【００４７】
尚、既定追加溶解工程及び任意追加溶解工程において、第２溶解槽１内に透析用原液が残っていない場合（第２溶解槽１が空の状態の場合）は、給水前或いは給水時にバルブＶ８を開けてライン内に残っている透析用原液を排液するのが好ましい。
【００４８】
次に第２溶解槽１及び第１溶解槽２内の洗浄消毒工程について説明する。
第１溶解槽２内の洗浄は、第１溶解槽２内に透析用原液が残っていない状態（透析用原液を使い切った場合、及びバルブＶ５を開いて排水ラインを解放し、透析用原液を排水した場合を含む）で行われ、第２溶解槽２による透析用原液の供給中に行われる。
【００４９】
即ち、バルブＶ７を開いてシャワー５にて給水手段１０の水を第１溶解槽２内で散水して洗浄するとともに、バルブＶ３を開いて供給ラインを解放し、第２溶解槽１内の透析用原液を透析液供給装置１１に供給する。尚、バルブＶ６を開いてラインＬ１２及びＬ４を経て供給ラインに達するラインを解放し、該ラインにより第２溶解槽１内の透析用原液を透析供給装置１１に供給もしている。シャワー５から散水された水は、バルブＶ５を開くことにより解放された排水ラインにより排水される。
【００５０】
第２溶解槽１内の洗浄は、１日の透析が終了した後に行われ、第１溶解槽２に次の日の透析に必要な透析用粉末薬剤が投入された状態で行われる。即ち、バルブＶ２を開いてシャワー４にて給水手段１０の水を第１溶解槽２内で散水して洗浄するとともに、ポンプＰを駆動させて第２溶解槽１内で洗浄に使用された水を循環させる。この循環により、循環水を流したラインの洗浄をも行うことができる。尚、洗浄時に必要に応じてバルブＶ６も開き、ラインＬ１２を含むラインの洗浄を行ってもよい。
【００５１】
更に、消毒液供給装置７に消毒液を投入して第２溶解槽１内の消毒を行う。消毒液の投入は、第１室１３の上部開口１３ａから行い、投入の時又は前後に常閉式の電磁バルブＮＣＶを操作して消毒用給水ラインＬ１９を開いて第１室１３内に給水し、消毒液の希釈を行う。この時、常開式の電磁バルブＮＯＶを操作して閉じ、消毒液排出ラインＬ２０を遮断しておく。
【００５２】
給水により第１室１３内が希釈された消毒液で満たされ、その液面が隔壁１５の上端に達すると、消毒液が第１室１３から第２室１４へオーバーフローして第２室１４内にも消毒液が溜まる。尚、常開式の電磁バルブＮＯＶは閉状態となっているため、第２室１４内の消毒液は消毒液排出ラインＬ２０には流れ込まない。
【００５３】
この状態から続けて給水を行うと、消毒液の液位が更に高くなり、消毒液が消毒液供給ラインＬ２２を通って第２溶解槽１に供給される。尚、給水は希釈された消毒液が消毒に必要な量に達するまで行われ、必要量に達した時点で常閉式の電磁バルブＮＣＶを操作して閉じ、消毒用給水ラインＬ１９による給水を停止する。
【００５４】
このように、消毒液排出ラインＬ２０を常に開いた状態とし、洗浄消毒工程で閉じる構成としたので、洗浄消毒工程以外の工程において誤って消毒液を投入した場合でも、第２溶解槽１内に消毒液が供給されてしまうのを回避できる。
消毒液の供給が終了すると、第１室１３への給水を停止するとともに、常開式の電磁バルブＮＯＶへの電圧の印加を停止して開いた状態とし、消毒液排出ラインＬ２０を解放する。これにより、第２室１４内に残っている消毒液を排出する一方、第１室１３内に残っている消毒液をサイホンの原理により排液ラインＬ２１を介して排出する。
【００５５】
即ち、排液ラインＬ２１が消毒用給水ラインＬ１９の終端ｅより下方に接続されているため、排液ラインＬ２１側と終端ｅ側との間で圧力差が生じ、終端ｅから第１室１３内に残った消毒液を吸い上げて排液ラインＬ２１に送るのである。従って、消毒が終了しても第１室１３及び第２室１４内に消毒液が残存してしまうのを回避することができ、特に第１室１３においては、特別な操作を行わずに残った消毒液を吸い上げて排出することができる。
【００５６】
一方、常時フロートスイッチ１７による第２室１４内の消毒液の有無を監視しているので、故障や誤動作により、洗浄消毒工程以外の工程において消毒液が投入されてしまうのを未然に防ぐことができる。尚、消毒は、消毒液の残留を回避するため、複数の洗浄の間に行うのが好ましい。
【００５７】
また、バルブＶ３を開くと共にポンプＰを駆動させることにより、ラインＬ６、Ｌ３、Ｌ１６、及びＬ１８が形成するライン内で第２溶解槽１内の水を循環させ、チャンバ１２の洗浄を行う。尚、かかるラインを第２溶解槽１の消毒中に形成すれば、チャンバの消毒を行うことができる。尚、洗浄又は消毒後の水は、バルブＶ８を開くことにより排出されるが、消毒等の水が第１溶解槽２内の透析用粉末薬剤に混入しないよう、バルブ５を開いた状態で洗浄又は消毒を行うのが好ましい。
【００５８】
本実施形態によれば、第２溶解槽１及び第１溶解槽２から成る２つの溶解槽を有するため、洗浄消毒工程中においても透析液供給装置１１に透析用原液を供給し続けることができ、且つ、洗浄工程以外の工程で誤って消毒液が投入されても、第２溶解槽１内に消毒液が流れ込まない構成としたので、洗浄消毒工程におけるフェールセーフ機能を確立することができる。
【００５９】
以上、本実施形態について説明したが、本発明はこれに限定されるものではなく、例えば常開式の電磁バルブＮＯＶ、又は常閉式の電磁バルブＮＣＶの代わりに、常開式又は常閉式の他のバルブとしてもよい。また、液位検知手段は、フロートスイッチ１７に限定されず、他の検知手段としてもよい。
更に、本実施形態においては、併設する２つの溶解槽を備えた溶解装置に適用しているが、１つの溶解槽を備えた溶解装置にも適用し得る。
【００６０】
【発明の効果】
請求項１の発明によれば、常開式のバルブを操作しない限り、常に開いた状態とされ、誤って第１室に消毒液が投入されても、第２室に流れ込んだ消毒液が消毒液排出ラインから排出されるフェールセーフ設計が施されるので、信頼性及び安全性を向上させることができる。
【００６１】
請求項２の発明によれば、請求項１の発明の効果に加え、併設された第１溶解槽及び第２溶解槽のうち、一方の溶解槽で透析液供給装置に透析用原液を供給し、他方の溶解槽を消毒又は洗浄等行うことができる。
請求項３の発明によれば、特別な操作を行わないで第２室内に残存する消毒液を排出することができるので、洗浄消毒工程後の残存消毒液を確実に除去することができる。
【００６２】
請求項４の発明によれば、第１室から第２室に流れ込んだ消毒液の液位を検知するので、洗浄消毒工程以外の工程で液位が高くなったことを検知すれば、故障又は誤動作により消毒液が供給される虞があることを検知できる。よって、洗浄消毒工程以外の工程で、誤って消毒液が溶解槽に供給されるのを回避することができ、信頼性が向上する。
【図面の簡単な説明】
【図１】本発明が適用される溶解槽を示す概略系統図
【図２】本発明に係る溶解装置の消毒液供給装置を示す概念図
【符号の説明】
１…第２溶解槽
１ａ〜１ｅ…開口
２…第１溶解槽
２ａ、２ｂ…開口
３…液面検出手段
４，５…シャワー
６…連結ライン
７…消毒液供給装置
８…濃度セル
９…演算手段
１０…給水手段
１１…透析液供給装置
１２…チャンバ
１３…第１室
１３ａ、１４ａ…上部開口
１４…第２室
１５…隔壁
１６…遮蔽板
１７…フロートスイッチ
Ｆ１…フィルタ
ｅ…終端
Ｌ１〜Ｌ２２…ライン
Ｖ１〜Ｖ８…バルブ
ＮＣＶ…常閉式の電磁バルブ
ＮＯＶ…常開式の電磁バルブ
Ｐ…ポンプ
【図１】
0004160703.tif 000002
【図２】
0004160703.tif 000003